(57)【特許請求の範囲】
【請求項１】
生体の損傷部位（但し、ヒトを除く）を、先ず、洗浄水で洗浄し、次いで、洗浄された前記生体の損傷部位を殺菌剤で消毒し、最後に、消毒された前記生体の損傷部位を前記洗浄水で再度洗浄する清浄化方法であり、当該清浄化方法では、前記洗浄水として、強アルカリ性の電解生成アルカリ水が含有する無機塩の溶解量を制御して、前記生体を構成する細胞の浸透圧と同等の浸透圧に調製した等張化電解水を採用することを特徴とする生体の損傷部位の清浄化方法。
【請求項２】
請求項１に記載の清浄化方法において、前記等張化電解水は、無機塩の希薄水溶液を被電解水とする有隔膜電解によって陰極室側にて生成される強アルカリ性の電解生成アルカリ水が含有する無機塩の溶解量を、前記被電解水の状態で制御することにより、等張状態に調製されるものであることを特徴とする生体の損傷部位の清浄化方法。
【請求項３】
請求項１に記載の清浄化方法において、前記等張化電解水は、無機塩の希薄水溶液を被電解水とする有隔膜電解によって陰極室側にて生成される強アルカリ性の電解生成アルカリ水が含有する無機塩の溶解量を、生成された電解生成アルカリ水に無機塩を添加して制御することにより、等張状態に調製されるものであることを特徴とする生体の損傷部位の清浄化方法。
【請求項４】
請求項１に記載の清浄化方法において、前記殺菌剤は、無機塩の希薄水溶液を被電解水とする有隔膜電解によって陽極室側にて生成される強酸性の電解生成酸性水であって、前記生体の損傷部位の消毒は、同損傷部位を前記電解生成酸性水にて洗浄することにより行うことを特徴とする生体の損傷部位の清浄化方法。
【請求項５】
請求項４に記載の清浄化方法において、前記電解生成酸性水は、前記生体を構成する細胞の浸透圧と同等の浸透圧に等張化されるものであることを特徴とする生体の損傷部位の清浄化方法。
【発明の詳細な説明】
【０００１】
【発明の属する技術分野】
本発明は、生体の損傷部位の清浄化方法に関する。但し、本発明で規定する生体とは、家畜等の動物を意味し、当該生体はヒトを含まない。
【０００２】
【従来の技術】
生体に生成される創傷、褥摩、切り傷、擦り傷等や、各種の手術にて生成される開放創等の生体の損傷部位は、これを速やかに清浄化して、その回復を図ることが肝要である。
【０００３】
生体の損傷部位（但し、ヒトを除く）を清浄化するには、一般に、損傷部位を真水または生理食塩水で洗浄して、損傷部位に付着する汚染物や壊死組織を除去することによりなされ、その後、洗浄化された損傷部位の感染を予防するため、損傷部位に殺菌剤等の薬剤を塗布する方法が採られる。また、近年、損傷部位に薬剤を塗布する方法に替えて、特開平７−１１８１５８号公報に示されているように、損傷部位を強酸性の電解生成酸性水にて洗浄して消毒する方法が提案されている。但し、当該公報に記載の発明は、家畜の皮膚疾患を治療するための「家畜皮膚疾患治療水」であって、電解生成酸性水を主要成分とするものである。当該公報には、家畜の損傷部位を当該皮膚疾患治療水にて洗浄して消毒する方法が開示されている。
【０００４】
【発明が解決しようとする課題】
ところで、従来の損傷部位の清浄化方法で、洗浄水として使用している真水や生理食塩水は、必ずしも高い洗浄力を有していないことから、当該洗浄水によって、損傷部位に付着する汚染物や壊死組織を十分に洗い流して清浄化するには、洗浄に十分に長い時間をかける必要がある。
【０００５】
しかしながら、損傷部位の洗浄に長い時間をかけることは、周囲に浮遊する細菌を損傷部位に付着させるおそれがある。また、洗浄化された損傷部位の感染予防として、損傷部位に殺菌剤等の薬剤を塗布する場合には、損傷部位の細胞を死滅させることにもなって、死滅した細胞（壊死組織）が細菌の栄養源なって細菌を繁殖させる要因となり、損傷部位の回復を妨げるおそれがある。
【０００６】
従って、本発明の目的は、生体の損傷部位を短時間で洗浄して清浄化することができるとともに、洗浄化された損傷部位の感染を効果的に予防し得る清浄化方法を提供することにある。
【０００７】
【課題を解決するための手段】
本発明は、生体の損傷部位（但し、ヒトを除く）の清浄化方法に関するもので、当該清浄化方法は、生体の損傷部位を、先ず、洗浄水で洗浄し、次いで、洗浄された前記生体の損傷部位を殺菌剤で消毒し、最後に、消毒された前記生体の損傷部位を前記洗浄水で再度洗浄する清浄化方法であり、当該清浄化方法では、前記洗浄水として、強アルカリ性の電解生成アルカリ水が含有する無機塩の溶解量を制御して、前記生体を構成する細胞の浸透圧と同等の浸透圧に調製した等張化電解水を採用することを特徴とするものである。
【０００８】
本発明に係る清浄化方法において、前記等張化電解水として、無機塩の希薄水溶液を被電解水とする有隔膜電解によって陰極室側にて生成される強アルカリ性の電解生成アルカリ水が含有する無機塩の溶解量を、前記被電解水の状態で制御することにより等張状態に調製されているもの、無機塩の希薄水溶液を被電解水とする有隔膜電解によって陰極室側にて生成される強アルカリ性の電解生成アルカリ水が含有する無機塩の溶解量を、生成された電解生成アルカリ水に無機塩を添加して制御することにより等張状態に調製されているもの等を採用することができる。
【０００９】
また、本発明に係る清浄化方法においては、前記殺菌剤として、無機塩の希薄水溶液を被電解水とする有隔膜電解によって陽極室側にて生成される強酸性の電解生成酸性水を採用して、当該電解生成酸性水で損傷部位を洗浄することにより消毒するようにすることができる。この場合、前記電解生成酸性水は、前記生体を構成する細胞の浸透圧と同等の浸透圧に等張化したものが好ましい。
【００１０】
【発明の作用・効果】
本発明に係る清浄化方法においては、等張化電解水（強アルカリ性の電解生成アルカリ水）の強力な洗浄作用により、生体の損傷部位に何等の影響を及ぼすことなく、短時間に洗浄して清浄化することができるとともに、電解生成酸性水等の殺菌剤の殺菌作用により清浄化された損傷部位を消毒し、さらには、等張化電解水の強力な洗浄作用により、消毒された損傷部位をさらに短時間に洗浄して清浄化できるものである。
【００１１】
従って、本発明に係る清浄化方法により清浄化された生体の損傷部位は、汚染物等の付着物が皆無の状態で消毒され、さらには、一旦無菌状態になった状態で最終的に清浄化されているものである。このため、当該清浄化方法は、生体の損傷部位を短時間で洗浄して清浄化することができるとともに、洗浄化された損傷部位の感染を効果的に予防し得る洗浄方法ということができる。
【００１２】
【発明の実施の形態】
本発明に係る清浄化方法は、洗浄水として、高い洗浄力を有する強アルカリ性の電解生成アルカリ水を等張化してなる等張化電解水を使用して、生体の損傷部位を２度に渡って洗浄し、この２度にわたる洗浄の間に、電解生成酸性水等の殺菌剤を使用して消毒することにより、生体の損傷部位を清浄化するものである。
【００１３】
等張化電解水を構成する電解生成アルカリ水は、無機塩類、好ましくは食塩の希薄水溶液を被電解水とする有隔膜電解にて生成される。被電解水の電解は、有隔膜電解槽を有する電解水生成装置を使用して行い、有隔膜電解槽の陽極室側にて電解生成アルカリ水が生成される。生成される電解生成アルカリ水は、ｐＨが１０〜１２の範囲にある強アルカリ性の電解生成アルカリ水である。
【００１４】
当該電解生成アルカリ水は、高い洗浄力を有する電解生成水として知られていて、洗浄の対象とするも被洗浄物の種類によっては、被洗浄物に何等の悪影響も及ぼすことがなく、優れた洗浄作用を有する洗浄水として有効である。しかしながら、当該電解生成アルカリ水は、細胞内液とに浸透圧に差がある場合には、生体の細胞に対してはダメージを与えるおそれがある。
【００１５】
このため、当該電解生成アルカリ水を生体の損傷部位の洗浄水として採用するには、当該電解生成アルカリ水を、その浸透圧と細胞内液の浸透圧とが実質的の同一である等張化状態に調製すればよいことに想到した。従って、本発明に係る清浄化方法で採用する洗浄水としては、当該電解生成アルカリ水を等張状態した等張化電解水を採用している。
【００１６】
当該電解生成アルカリ水を等張化する方法は、何等限定されるものではなく、例えば、当該電解生成アルカリ水を生成する際に等張状態に調製することができるとともに、当該電解生成アルカリ水に食塩等の無機塩類を添加することによっても等張状態に調製することができる。
【００１７】
前者の方法では、被電解水として、食塩等の無機塩が０．６重量％〜０．９重量％に調製されている希薄水溶液を採用して有隔膜電解する。これにより、有隔膜電解槽の陰極室側にｐＨが１０〜１２の強アルカリ性の電解生成アルカリ水が生成されるが、当該電解生成アルカリ水中に未消費状態で残留する食塩等の無機塩類によって、当該電解生成アルカリ水は生理食塩水と同程度の等張状態に調製される。
【００１８】
また、後者の方法では、有隔膜電解槽の陰極室側に生成されたｐＨが１０〜１２の強アルカリ性の電解生成アルカリ水に食塩等の無機塩類を添加するもので、添加される無機塩類の濃度を制御することによって、生理食塩水と同程度の等張状態に調製される。
【００１９】
本発明に係る清浄化方法において、生体の損傷部位を消毒するために使用する殺菌剤としては、種々の公知の消毒薬や消毒液を採用することができるが、殺菌力の高い電解生成酸性水を好適に採用することができる。当該電解生成酸性水は、ｐＨが２〜５の強酸性の電解生成水であって、等張化電解水を構成する強アルカリ性の電解生成アルカリ水を生成する際に同時に生成されるものである。すなわち、食塩等の無機塩類の希薄水溶液を被電解水とする有隔膜電解において、有隔膜電解槽の陰極室側に電解生成アルカリ水が生成されるが、この際、有隔膜電解槽の陽極室側にて、強酸性の酸性水（電解生成酸性水）が生成される。
【００２０】
当該電解生成酸性水は、高い殺菌力を有するものとして知られているが、殺菌（消毒）処理することにより早期に殺菌力を消失して、殺菌した部位には何等の残留物も存在させないものであり、また、有隔膜電解槽を有する電解水生成装置があれば、電解生成アルカリ水とともに、必要量を短時間に生成することができるものである。従って、当該電解生成酸性水は、極めて使い勝手のよい殺菌剤、消毒薬、消毒液ということができる。
【００２１】
本発明に係る清浄化方法は、生体に生成される創傷、褥摩、切り傷、擦り傷等や、各種の手術にて生成される開放創等の生体の損傷部位を、当該等張化電解水および殺菌剤である当該電解生成酸性水を使用して清浄化するものである。
【００２２】
当該清浄化方法においては、生体の損傷部位を、先ず、当該等張化電解水で洗浄し、次いで、洗浄された損傷部位を当該電解生成酸性水で消毒し、最後に、消毒された損傷部位を当該等張化電解水で再度洗浄するものである。
【００２３】
当該清浄化方法において、等張化電解水による第１回目の洗浄では、電解生成アルカリ水の強力な洗浄作用により、生体の損傷部位に付着している汚染物質が短時間に除去されて清浄化されるが、この場合、電解生成アルカリ水は等張化されていることから、生体の損傷部位は何等のダメージを受けることなく短時間に清浄化される。
【００２４】
また、引き続いてなされる当該電解生成酸性水による消毒では、当該電解生成酸性水を洗浄水として、清浄化された生体の損傷部位を当該電解生成酸性水にて洗浄することにより消毒され、当該電解生成酸性水の強力な殺菌作用により、清浄化された生体の損傷部位が短時間に洗浄されて消毒される。この場合、使用する当該電解生成酸性水においても、電解生成アルカリ水の等張化と同様に等張化されていることが好ましく、これにより、当該電解生成酸性水の生体の損傷部位に対する影響を最小限に抑えることができる。
【００２５】
さらにまた、引き続いてなされる当該等張化電解水による第２回目の洗浄では、電解生成アルカリ水の強力な洗浄作用により、消毒された生体の損傷部位に残留する死滅した細胞（壊死組織）等が短時間に洗浄されて清浄化される。この場合においても、電解生成アルカリ水が等張化されているため、生体の損傷部位は何等のダメージを受けることなく清浄化される。
【００２６】
このように、本発明に係る清浄化方法では、生体の損傷部位を、汚染物等の付着物が皆無の状態で消毒し、さらに、一旦無菌状態になった状態で最終的に清浄化されるものであって、生体の損傷部位を短時間で洗浄して清浄化することができるとともに、清浄化されている損傷部位の細菌感染を効果的に予防し得るものである。